(57)【要約】【課題】昇降時の段鼻での違和感を生じ難くして人間工学面で楽な階段昇降を可能ならしめる、新しい段鼻構造を提供する。【解決手段】踏板（１）の段鼻部（１２）に段鼻カバー（２）を取り付けた段鼻構造であって、段鼻部（１２）に被着凹所（１３）を形成し、この被着凹所（１３）にて踏板（１）の踏み面（１１）と略面一となる奥端（２ａ）から先端へ昇り傾斜する傾斜部（２１）および先端の曲面落し部（２２）を備えた段鼻カバー（２）を被着する。【選択図】  図１
2004176291.tif 000002
【特許請求の範囲】
【請求項１】
踏板の段鼻部に段鼻カバーを取り付けた段鼻構造であって、段鼻部に被着凹所を形成し、この被着凹所にて踏板の踏み面と略面一となる奥端から先端方向へ昇り傾斜する傾斜部および先端の曲面落し部を備えた段鼻カバーを被着したことを特徴とする段鼻構造。
【請求項２】
段鼻カバーの奥端を先端から４０〜６０ｍｍの位置とし、この奥端から先端方向へ昇り傾斜する傾斜部の傾斜高さを１〜３ｍｍとし、この傾斜部に続く先端の曲面落し部の半径を３〜１０ｍｍとしたことを特徴とする請求項１記載の段鼻構造。
【請求項３】
傾斜部の略中央に滑り止め部を設けたことを特徴とする請求項１記載の段鼻構造。
【請求項４】
段鼻カバー本体に上方に開口したネジ取付凹部を設け、このネジ取付凹部を塞ぐとともに傾斜部の傾斜を形成するカバー材を被着したことを特徴とする請求項１記載の段鼻構造。
【請求項５】
カバー材の色を段鼻カバー本体とは異色としたことを特徴とする請求項４記載の段鼻構造。
【請求項６】
段鼻カバー本体に踏板先端と蹴込板上端とを一緒に被着する凹所を設けたことを特徴とする請求項１記載の段鼻構造。
【発明の詳細な説明】
【０００１】
【発明の属する技術分野】
この出願の発明は、段鼻構造に関するものである。さらに詳しくは、この出願の発明は、階段における踏板の段鼻に有用な、人間工学面で楽な階段昇降を可能にした、新しい段鼻構造に関するものである。
【０００２】
【従来の技術】
従来、階段における踏板の段鼻部には段鼻カバーがしばしば取り付けられており、その構造としては、たとえば、上面に複数の凸状部を設けた段鼻カバーをその凸状部が踏板の踏み面から突出するように段鼻部に取り付けたもの（特許文献１参照）や、上面に複数の溝条部を設けた段鼻カバーを踏板の踏み面と面一となるように段鼻部に取り付けたもの（特許文献２参照）、また上面を踏み面側から前端へ昇り傾斜させた段鼻カバーを取り付けたもの（特許文献３参照）が知られている。
【０００３】
【特許文献１】
特開平９−８８２８８号公報
【特許文献２】
特開２０００−１７８０６号公報
【特許文献３】
実開昭５５−７４３２８号公報
【０００４】
【発明が解決しようとする課題】
しかしながら、通常、段鼻には階段を上る際は足の土踏まずが位置し、階段を下りる際は指の付け根が位置するため、上記特許文献１及び２に記載のものではいずれも、上り下りする度に足の裏が段鼻カバーの凸状部や溝条部と接触して違和感が生じ易いという不都合が考えられる。また一方で、上記特許文献３に記載のものについては、踏み面側の先端が薄く且つ踏み面上に突出しているため剥がれ易い恐れがあり、もちろん土踏まずや指付け根などの足の形や構造を考慮した傾斜とはなっていない。
【０００５】
そこで、この出願の発明は、以上のとおりの事情に鑑み、昇降時の段鼻での違和感を生じ難くして人間工学面で楽な階段昇降を可能ならしめる、新しい段鼻構造を提供することを課題としている。
【０００６】
【課題を解決するための手段】
この出願の発明は、上記の課題を解決するものとして、第１には、踏板の段鼻部に段鼻カバーを取り付けた段鼻構造であって、段鼻部に被着凹所を形成し、この被着凹所にて踏板の踏み面と略面一となる奥端から先端方向へ昇り傾斜する傾斜部および先端の曲面落し部を備えた段鼻カバーを被着したことを特徴とする段鼻構造を提供する。
【０００７】
また、この出願の発明は、第２には、段鼻カバーの奥端を先端から４０〜６０ｍｍの位置とし、この奥端から先端方向へ昇り傾斜する傾斜部の傾斜高さを１〜３ｍｍとし、この傾斜部に続く先端の曲面落し部の半径を３〜１０ｍｍとしたことを特徴とする段鼻構造、第３には、傾斜部の略中央に滑り止め部を設けたことを特徴とする段鼻構造、第４には、段鼻カバー本体に上方に開口したネジ取付凹部を設け、このネジ取付凹部を塞ぐとともに傾斜部の傾斜を形成するカバー材を被着したことを特徴とする段鼻構造、第５には、カバー材の色を段鼻カバー本体とは異色としたことを特徴とする段鼻構造、第６には、段鼻カバー本体に踏板先端と蹴込板上端とを一緒に被着する凹所を設けたことを特徴とする段鼻構造を提供する。
【０００８】
【発明の実施の形態】
上記のとおりの特徴を有するこの出願の発明によれば、たとえば図１〜図３に例示したように、踏板（１）の段鼻部（１２）に被着凹所（１３）を形成し、この被着凹所（１３）にて踏板（１）の踏み面（１１）と略面一となる奥端（２ａ）から先端方向へ昇り傾斜する傾斜部（２１）および曲面落し部（２２）を備えた段鼻カバー（２）を被着するように構成することで、昇降時の段鼻での違和感を生じ難くして人間工学面で楽な階段昇降を可能にした段鼻構造を実現できる。
【０００９】
より具体的には、図１の実施形態では、まず段鼻カバー（２）については、図２にも例示したように段鼻カバー本体（２３）に対して、段鼻部（１２）への被着時に踏み面（１１）側に位置することとなる奥端（２ａ）からその反対側の先端に向かって昇り傾斜する傾斜部（２１）と、この傾斜部（２１）が続いてそのまま下向きに適度にＲ（アール）して落ちる曲面落し部（２２）とが、本体上部から前部にかけて設けられている。
【００１０】
一方踏板（１）の段鼻部（１２）については、図３にも例示したように段鼻カバー（２）を被着する被着凹所（１３）が上方先端部分を切り欠かいて設けられている。
【００１１】
そして、この被着凹所（１３）に対して上記段鼻カバー（２）が取り付けられるのであるが、このとき、段鼻カバー本体（２３）の後壁面が被着凹所（１３）の縦壁面に当接し、且つその上の傾斜部（２１）の奥端（２ａ）が被着凹所（１３）内にちょうど納まるとともに踏み面（１１）と略面一（ぴったり面一な状態はもちろんのこと、少なくとも昇降時の足裏が奥端（２ａ）位置を感じない程度に面一な状態であることを意味する）となり、さらにその奥端（２ａ）から傾斜部（２１）が徐々に昇り傾斜していき、それに続く曲面落し部（２２）にて先端部分が滑らかに落ちるようになる。
【００１２】
以上の構成により、昇降時に足裏が感じる段鼻での違和感が生じ難くなり、よって人間工学面で楽な階段の昇降が実現されることとなる。図４に例示したように階段を上る際に足の土踏まずが段鼻カバー（２）に乗っても上述したとおりの引っ掛かりのない傾斜や曲面落しのために違和感なく段鼻カバー（２）を踏んで上ることができ、また図５に例示したように階段を降りる際に指の付け根が段鼻カバー（２）に乗っても同様に違和感なく下りることができるのである。
【００１３】
人間工学を考慮したこの段鼻構造においては、図６に例示したように、奥端（２ａ）の位置を先端から４０〜６０ｍｍの範囲のものとし、この奥端（２ａ）から昇り傾斜する傾斜部（２１）の傾斜高さを１〜３ｍｍの範囲のものとし、この傾斜部（２１）に続く曲面落し部（２２）の半径を３〜１０ｍｍの範囲のものとすることが好ましく、これによれば、足の土踏まずや指の付け根の適度な寸法となり、人間工学的に楽な階段昇降をより効果的に実現できるようになる。なおそれぞれの範囲でのほぼ中間値が最も好ましい。
【００１４】
また、本実施形態においては、傾斜部（２１）の略中央に滑り止め部（２４）が設けられてもいる。エラストマ−等の軟質材でなる滑り止め部（２４）を傾斜部（２１）に設けることで、段鼻カバー（２）に滑り止め機能を付加することになり、また傾斜部（２１）の略中央に設けているので、人間工学的にもより良好な階段昇降を実現できるのである。
【００１５】
ところで、上述したように段鼻カバー（２）を段鼻部（１２）に被着した際、その固定はたとえばネジ釘（３）（ネジ、ビス、釘など。以下同じ）によって行うことができ、この場合において、段鼻カバー本体（２３）に上方に開口したネジ取付凹部（２５）を設け、このネジ取付凹部（２５）を塞ぐとともに傾斜部（２１）の傾斜を形成するカバー材（２６）を被着することを考慮できる。
【００１６】
より具体的には、段鼻カバー（２）を段鼻部（１２）の被着凹所（１３）に被着した後、ネジ釘（３）をネジ取付凹所（２５）から段鼻カバー本体（２３）を貫通して段鼻部（１２）に打ち込んで固着し、続いてカバー材（２６）をネジ釘（３）の頭部とともに開口を塞ぐようにネジ取付凹所（２５）に嵌め込んで装着する。このとき、カバー材（２６）では、裏面から垂下した一対の脚部（２６１）（２６２）が設けられ、それらのうちの後側が短く、前側が長くなっているため、装着時にネジ取付凹所（２５）の水平底面（２５３）上にそれら両脚部（２６１）（２６２）が立つと、カバー表面（２６３）が昇り傾斜になって段鼻カバー（２）の傾斜部（２１）に現れることとなる。すなわち、このカバー材（２６）のカバー表面（２６３）は傾斜部（２１）の傾斜の一部を形成するのである。図１では、奥端（２ａ）から昇り傾斜面の途中までがネジ取付凹所（２５）に被着したこのカバー材（２６）のカバー表面（２６３）で形成されている。
【００１７】
これにより、人間工学面で楽な階段昇降を実現したこの出願の発明の段鼻構造において、その優れた階段昇降性を全く損ねることなく、段鼻カバー（２）の段鼻部（１２）へのネジ釘打ち固定が可能になる。ネジ釘（３）やネジ取付凹所（２５）を用いてもカバー材（２６）で傾斜部（２１）の傾斜状態が確保されるため階段昇降性は変わらず、もちろん外観性も劣化しない。
【００１８】
これらネジ取付凹所（２５）およびカバー材（２６）は、ネジ釘打ちする所定箇所でのみ傾斜部（２１）の一部を開口させて設けても、幅方向の略全長に沿って設けても良い。
【００１９】
また、カバー材（２６）の被着については、図２に例示したような脚部（２６１）（２６２）の側面に設けられた引掛け部（２６１ａ）（２６２ａ）およびネジ取付凹所（２６）の対応する縦内壁に設けられた引掛け部（２５１）（２５２）が掛かり合うようになる。
【００２０】
また、上述の滑り止め部（２４）はカバー材（２６）のカバー表面（２６３）に設けられている。滑り止め部（２４）は極めて薄くできるため、階段昇降性を損ねることはない。
【００２１】
さらにまた、カバー材（２６）の色については、たとえば段鼻カバー本体（２３）とは異色とすることも考慮できる。これによれば、踏板（１）の段鼻の視認性が高まるので、段差の識別を容易にし、階段昇降の安全性をも向上できるようになる。もちろん、たとえば段鼻カバー本体（２３）を踏板（１）と同色または同系色にすることで、階段全体としての色合いを統一させ、外観を向上させることができ、これにおいて、カバー材（２６）を異色とすれば、意匠性をさらに高めるといった効果も期待できる。
【００２２】
以上では、段鼻カバー（２）と踏板（１）の段鼻部（１２）との被着について説明したが、図１〜図３の実施形態では、段鼻カバー本体（２３）に別の凹所（２７）を設け、この凹所（２７）にて蹴込板（４）の上端をも段鼻部（１２）の先端部分と一緒に被着した構造になっている。
【００２３】
より具体的には、まず段鼻部（１２）においては段鼻カバー本体（２３）が被着される被着凹所（１３）の奥角に一段下がった奥凹所（１４）が形成されており、他方段鼻カバー本体（２３）には裏側下方に大きく開口した凹所（２７）が設けられ、かつ凹所（２７）よりさらに後の後端下部に奥凹所（１４）に嵌めこまれる嵌入部（２８）が設けられている（図２参照）。そして、段鼻カバー本体（２３）と踏板（１）および蹴込板（４）との装着時には、奥凹所（１４）にて嵌入部（２８）が嵌め込まれるとともに、凹所（２７）にて奥凹所（１４）よりも前側の踏板（１）の段鼻部（１２）の先端部分および蹴込板（４）の上端部分が互いに密着し且つ凹所（２７）の内壁に密着して嵌め込まれる（図１参照）。これにより、段鼻カバー（２）にて、蹴込板（４）の立設支持も実現される。
【００２４】
なおこのとき、段鼻カバー本体（２３）の嵌入部（２８）をテーパ−形状とすれば（図１、図２参照）、奥凹所（１４）へ嵌入し易くなる。
【００２５】
もちろん、この出願の発明は以上の実施形態に限定されるものではなく、細部については様々な態様が可能である。たとえば図７に例示したように段鼻カバー（２）の表面に意匠性・外観性をさらに考慮して化粧シート（２９）を設けてもよい。
【００２６】
【発明の効果】
以上詳しく説明したとおり、この出願の発明によって、昇降時の段鼻での違和感を生じ難くして人間工学面で楽な階段昇降を可能ならしめる、新しい段鼻構造が提供される。
【図面の簡単な説明】
【図１】この出願の発明の一実施形態を示した要部拡大断面図である。
【図２】図１の実施形態における段鼻カバーを示した断面図である。
【図３】図１の実施形態における踏板段鼻部を示した断面図である。
【図４】図１の実施形態の使用状況を説明するための図である。
【図５】図１の実施形態の使用状況を説明するための別の図である。
【図６】各種寸法を説明するための図である。
【図７】段鼻カバーの別の一例を示した断面図である。
【符号の説明】
１  踏板
１１  踏み面
１２  段鼻部
１３  被着凹所
１４  奥凹所
２  段鼻カバー
２ａ  奥端
２１  傾斜部
２２  曲面落し部
２３  段鼻カバー本体
２４  滑り止め部
２５  ネジ取付凹所
２５１，２５１  引掛け部
２５３  水平底面
２６  カバー材
２６１，２６２  脚部
２６１ａ，２６２ａ  引掛け部
２６３  カバー表面
２７  凹所
２８  嵌入部
２９  化粧シート
３  ネジ釘
４  蹴込板
【図１】
2004176291.tif 000003
【図２】
2004176291.tif 000004
【図３】
2004176291.tif 000005
【図４】
2004176291.tif 000006
【図５】
2004176291.tif 000007
【図６】
2004176291.tif 000008
【図７】
2004176291.tif 000009